(57)【特許請求の範囲】
【請求項１】
香水を収容する容器本体部と、
前記容器本体部に収容された前記香水を滴下させる滴下部と、を備え、
前記滴下部は、
前記容器本体部に固定される基底部と、
前記基底部に連設され、前記香水を通過させる筒状部と、を有し、
前記筒状部は、内径が略一定の円筒状をしており、
前記香水は、前記筒状部の先端部に設けられた滴下口から滴下することを特徴とする香水容器。
【請求項２】
請求項１に記載の香水容器において、
前記滴下部は、１滴あたり０．０３ｍｌ以下の量の前記香水を滴下させるように構成されている香水容器。
【請求項３】
請求項１又は２に記載の香水容器において、
当該香水容器は、人の装着物に前記香水を付着させるために用いられる香水容器。
【請求項４】
請求項１乃至３の何れかに記載の香水容器において、
前記容器本体部の容量は、５ｍｌ以上１５ｍｌ以下である香水容器。
【請求項５】
請求項１乃至４の何れかに記載の香水容器において、
前記容器本体部は、弾性変形可能である香水容器。
【請求項６】
請求項５に記載の香水容器において、
前記容器本体部を押圧することにより、１滴又は２滴以上の前記香水が前記滴下部から滴下するように構成されている香水容器。
【請求項７】
請求項５又は６に記載の香水容器において、
前記容器本体部を押圧しない限り、前記香水が前記滴下部から滴下しないように構成されている香水容器。
【請求項８】
請求項５乃至７の何れかに記載の香水容器において、
前記容器本体部は、プラスチック製である香水容器。
【請求項９】
請求項１乃至８の何れかに記載の香水容器において、
前記滴下部は、前記容器本体部に対して着脱可能である香水容器。
【請求項１０】
請求項１乃至９の何れかに記載の香水容器において、
前記容器本体部の注ぎ口の外周面には、雄ねじが形成されており、
前記基底部の内周面には、前記雄ねじに螺合する雌ねじが形成されている香水容器。
【発明の詳細な説明】
【技術分野】
【０００１】
本発明は、香水容器に関する。
【背景技術】
【０００２】
従来の香水容器としては、例えば特許文献１に記載されたものがある。同文献に記載された香水容器は、人の身体に香水を付着させるためのものであって、香水が収容された容器本体部、及び噴霧ノズルを備えている。この香水容器においては、押下スイッチを押し下げることにより、噴霧ノズルから香水を霧状に噴出させることができる。すなわち、この香水容器は、スプレー式の香水容器である。
【先行技術文献】
【特許文献】
【０００３】
【特許文献１】特開２００２−１７９１６６号公報
【発明の概要】
【発明が解決しようとする課題】
【０００４】
しかしながら、このようなスプレー式の香水容器の場合、霧状の香水が空気中の広範囲に拡散することになる。そのため、対象となる人の身体に対し、噴霧ノズルから噴出した香水の全てを付着させることが難しい。それゆえ、対象に付着せずに無駄になる香水の割合（ロス率）が大きいという問題がある。
【０００５】
本発明は、上記課題に鑑みてなされたものであり、香水のロス率を小さく抑えることができる香水容器を提供することを目的とする。
【課題を解決するための手段】
【０００６】
本発明による香水容器は、香水を収容する容器本体部と、上記容器本体部に収容された上記香水を滴下させる滴下部と、を備えることを特徴とする。
【０００７】
この香水容器においては、容器本体部内の香水を滴下させる滴下部が設けられている。このため、対象となる人の身体や衣類等に対し、香水を滴下させることができる。このように香水を滴下させる方法によれば、滴下部から滴下した香水の略全てを対象に付着させることが可能となる。したがって、香水のロス率を小さく抑えることができる。
【発明の効果】
【０００８】
本発明によれば、香水のロス率を小さく抑えることができる香水容器が実現される。
【図面の簡単な説明】
【０００９】
【図１】本発明による香水容器の一実施形態を示す斜視図である。
【図２】容器本体部２０から取り外された状態の滴下部１０を示す斜視図である。
【図３】図２のIII−III線に沿った端面図である。
【図４】滴下部１０が取り外された状態の容器本体部２０を示す斜視図である。
【図５】図１の香水容器において香水３０が滴下する様子を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による香水容器の一実施形態を示す斜視図である。香水容器１は、滴下部１０及び容器本体部２０を備えている。容器本体部２０には、香水３０が収容されている。容器本体部２０の容量は、例えば、５ｍｌ以上１５ｍｌ以下である。香水容器１は、人の身体又は装着物に香水３０を付着させるために用いられる。かかる装着物としては、例えば、衣類、靴、マスクが挙げられる。
【００１２】
滴下部１０は、容器本体部２０に取り付けられている。この滴下部１０は、容器本体部２０に対して着脱可能である。ここで、着脱可能とは、香水容器１を損傷したり、道具を用いたりすることなく、容器本体部２０に対する滴下部１０の取り付け及び取り外しを容易に行えるということである。
【００１３】
図２は、容器本体部２０から取り外された状態の滴下部１０を示す斜視図である。また、図３は、図２のIII−III線に沿った端面図である。滴下部１０は、容器本体部２０に収容された香水３０を滴下させる部分である。この滴下部１０は、基底部１２及び筒状部１４を備えている。基底部１２は、容器本体部２０に固定される部分である。基底部１２は、環状をしている。基底部１２の内周面には、雌ねじ（図示せず）が形成されている。この雌ねじは、後述する容器本体部２０の注ぎ口２２に形成された雄ねじに螺合するように形成されている。
【００１４】
筒状部１４は、基底部１２に連設されている。詳細には、筒状部１４は、基底部１２から上方に向かって延出している。この筒状部１４は、香水３０を通過させる部分である。筒状部１４の先端部には、滴下口１６が設けられている。筒状部１４を通過した香水３０は、この滴下口１６から滴下する。筒状部１４は、内径が略一定の円筒状をしている。滴下部１０の材料としては、例えば、ポリエチレン、ポリプロピレンその他のプラスチックを用いることができる。なお、滴下部１０には、滴下口１６を覆うキャップが設けられていてもよい。
【００１５】
図４は、滴下部１０が取り外された状態の容器本体部２０を示す斜視図である。容器本体部２０の注ぎ口２２の外周面には、雄ねじが形成されている。この雄ねじに基底部１２の雌ねじを螺合させることにより、容器本体部２０に滴下部１０を取り付けることができる。容器本体部２０の断面形状（注ぎ口２２以外の部分における、鉛直方向に垂直な断面の形状）は、任意であり、例えば、円形、楕円形、矩形、扁平形等が考えられる。
【００１６】
容器本体部２０は、柔軟性及び弾力性を有する材料からなり、弾性変形可能である。容器本体部２０の材料としても、例えば、プラスチックを用いることができる。このように容器本体部２０は弾性変形可能であるため、滴下部１０を下に向けた状態で容器本体部２０を押圧することにより、図５に示すように、香水３０を滴下部１０から滴下させることができる。すなわち、雫状の香水３０を滴下部１０から落下させることができる。このとき、滴下する香水３０の１滴あたりの量は、０．０３ｍｌ以下であることが好ましい。なお、香水容器１は、容器本体部２０を押圧しない限り、香水３０が滴下しないように構成されている。
【００１７】
香水容器１の効果を説明する。香水容器１においては、容器本体部２０内の香水３０を滴下させる滴下部１０が設けられている。このため、対象となる人の身体や装着物に対し、香水３０を滴下させることができる。このように香水３０を滴下させる方法によれば、滴下部１０から滴下した香水３０の略全てを対象に付着させることが可能となる。したがって、香水３０のロス率を小さく抑えることができる。かかる香水容器１によれば、香水３０を効率的に使用することができる。
【００１８】
このように香水３０を滴下させる香水容器１は、スプレー式の香水容器と異なり、簡易な構成で実現することができる。このため、香水容器１は、低コストで製造するのに適している。
【００１９】
人の衣類等の装着物に香水３０を付着させるために香水容器１を用いる場合、芳香効果を長時間持続させる観点から、香水３０が当該装着物に充分に浸潤することが好ましい。この点、香水３０を滴下させる香水容器１によれば、装着物の狭い範囲に集中的に香水３０が付着するため、香水３０を装着物に浸潤させやすい。このため、香水容器１は、人の装着物に香水３０を付着させるのに特に適している。
【００２０】
香水は一般に高価であるところ、香水３０の１回あたりの使用量を節約する観点から、滴下する香水３０の１滴あたりの量は、０．０３ｍｌ以下であることが好ましい。香水容器１においては、上述のとおり香水３０を効率的に使用できるため、０．０３ｍｌ以下という比較的少量の香水３０であっても、充分な芳香効果を得ることができる。
【００２１】
容器本体部２０は、弾性変形可能である。このため、容器本体部２０を手で押圧することにより、香水３０を容易に滴下させることができる。また、押圧する力の強さを変えることにより、香水３０の滴下の程度を調整することができる。例えば、比較的弱い力で押圧することにより香水３０を１滴だけ滴下させることもできるし、比較的強い力で押圧することにより香水３０を２滴以上滴下させることもできる。容器本体部２０がプラスチック製である場合、弾性変形可能な容器本体部２０を低コストで実現することができる。
【００２２】
香水容器１は、容器本体部２０を押圧しない限り、香水３０が滴下しないように構成されている。これにより、滴下部１０を下に向けただけで香水３０が滴下してしまうのを防ぐことができる。また、このように容器本体部２０を押圧して初めて香水３０が滴下する構成によれば、狙いを定めて香水３０を滴下させやすいので、対象となる人の身体や装着物における所望の部位に対して精確に香水３０を付着させることができる。
【００２３】
滴下部１０は、容器本体部２０に対して着脱可能である。このため、滴下部１０を取り外すことにより、容器本体部２０に香水３０を容易に補充することができる。このように香水３０を補充することにより、滴下部１０及び容器本体部２０を繰り返し使用することができるので、経済的である。
【００２４】
滴下部１０は筒状部１４を有しており、当該筒状部１４の先端部に設けられた滴下口１６から香水３０が滴下するように構成されている。かかる構成の場合、香水３０を滴下させるには、香水３０が筒状部１４を通過して滴下口１６に達するまで容器本体部２０を押圧する必要がある。すなわち、容器本体部２０にある程度の力が加えられて初めて、香水３０が滴下口１６から滴下することになる。このため、容器本体部２０を軽く把持しただけで香水３０が滴下してしまう等、ユーザの意に反して香水３０が滴下するのを防ぐことができる。
【００２５】
基底部１２の内周面には、容器本体部２０の注ぎ口２２の雄ねじに螺合する雌ねじが形成されている。これにより、簡易な構成で、容器本体部２０に対して着脱可能な滴下部１０を実現することができる。
【００２６】
本発明による香水容器は、上記実施形態に限定されるものではなく、様々な変形が可能である。上記実施形態においては、容器本体部２０に対して着脱可能な滴下部１０を例示した。しかし、滴下部１０は、容器本体部２０に対して着脱不能に取り付けられていてもよい。
【００２７】
上記実施形態においては、内径が略一定の円筒状をした筒状部１４を例示した。しかし、筒状部１４は、滴下口１６に向かうにつれて内径が大きくなるテーパ状をしていてもよいし、滴下口１６に向かうにつれて内径が小さくなるテーパ状をしていてもよい。
【００２８】
上記実施形態においては、滴下部１０に基底部１２及び筒状部１４が設けられた例を示した。しかし、滴下部１０に筒状部１４を設けることは、必須でない。例えば、滴下部１０は、基底部１２、及び基底部１２に直接形成された滴下口１６のみからなっていてもよい。また、滴下部１０に基底部１２を設けることも、必須でない。例えば、滴下部１０は、容器本体部２０の注ぎ口２２に直接形成された滴下口１６のみからなっていてもよい。
【符号の説明】
【００２９】
１  香水容器
１０  滴下部
１２  基底部
１４  筒状部
１６  滴下口
２０  容器本体部
３０  香水
【図１】
0006305911.tif 000002
【図２】
0006305911.tif 000003
【図３】
0006305911.tif 000004
【図４】
0006305911.tif 000005
【図５】
0006305911.tif 000006